(57)【要約】【課題】本発明は、放送番組の案内数に関わらず、視聴者にとって視認性の高い番組案内画面を提供することを可能とすることを目的とする。【解決手段】本発明に係る送受信システムは、第１のグループに含まれる複数の放送画像データを同一画面上に配列された複数の表示枠のそれぞれに表示する第１の番組案内用画面データ、及び、第２のグループに含まれる複数の放送画像データを複数の表示枠と同一の表示枠のそれぞれに表示する第２の番組案内用画面データが、所定の時間間隔で切替わる番組案内用画面データを生成する画面データ生成部と、所定の時間間隔に関する時間情報並びに第１及び第２の番組案内用画面データのそれぞれに含まれる複数の放送画像データに対応する放送番組識別情報を生成する放送情報生成部と、番組案内用画面データ、時間情報及び放送番組識別情報を送信する送信部と、を備える。【選択図】図４
2018107717.tif 000002
【特許請求の範囲】
【請求項１】
送信装置と受信装置とからなる送受信システムであって、
前記送信装置は、
複数の放送番組に対応した放送画像データを取得する取得部と、
前記取得された複数の放送画像データを少なくとも第１のグループと第２のグループに分類する分類部と、
前記第１のグループに含まれる複数の放送画像データを同一画面上に配列された複数の表示枠のそれぞれに表示する第１の番組案内用画面データ、及び、前記第２のグループに含まれる複数の放送画像データを同一画面上に配列された前記複数の表示枠と同一の表示枠のそれぞれに表示する第２の番組案内用画面データが、所定の時間間隔で切替わる番組案内用画面データを生成する画面データ生成部と、
前記所定の時間間隔に関する時間情報、並びに、前記第１及び第２の番組案内用画面データのそれぞれに含まれる複数の放送画像データに対応する放送番組識別情報を生成する放送情報生成部と、
前記番組案内用画面データ、前記時間情報、及び、前記放送番組識別情報を送信する送信部と、を備え、
前記受信装置は、
前記複数の放送番組に対応した放送画像データ、前記番組案内用画面データ、前記時間情報、及び、前記放送番組識別情報を受信する受信部と、
前記番組案内用画面データを出力する画像データ出力部と、
ユーザの操作によりいずれかの表示枠が選択された場合、選択された時刻に出力されている前記第１又は第２の番組案内用画面データに含まれ、且つ、選択された表示枠に対応する放送番組識別情報を検出する検出部と、
前記検出された放送番組識別情報に対応する前記放送画像データが前記画像データ出力部から出力されるように制御する制御部と、を備える、
ことを特徴とする送受信システム。
【請求項２】
前記受信部によって受信される前記放送番組に対応した放送画像データは、放送局から送信される放送データに含まれる、請求項１に記載の送受信システム。
【請求項３】
前記送信部は、前記複数の放送番組に対応した放送画像データを前記受信装置に送信する、請求項１に記載の送受信システム。
【請求項４】
前記画像データ出力部は、
前記番組案内用画面データに基づいて、番組案内用画面を表示し、
前記表示された番組案内用画面に配列した前記複数の表示枠のいずれかの位置に、カーソル図形を移動可能に表示し、
前記検出部は、ユーザによって選択入力された場合、前記カーソル図形が位置する表示枠を選択する、請求項１又は２に記載の送受信システム。
【請求項５】
前記受信装置は、記憶部を更に備え、
前記制御部は、
前記選択された表示枠の表示位置を前記記憶部に記憶し、
ユーザによって前記番組案内用画面データの出力が指示された場合、前記記憶部に記憶された表示位置を取得し、番組案内用画面を表示するとともに、前記取得した表示位置の表示枠に前記カーソル図形を表示する、請求項４に記載の送受信システム。
【請求項６】
前記カーソル図形は、所定の条件に応じた表示態様で表示される、請求項４又は５に記載の送受信システム。
【請求項７】
受信装置に放送データを送信する送信装置であって、
複数の放送番組に対応した放送画像データを取得する取得部と、
前記取得された複数の放送画像データを少なくとも第１のグループと第２のグループに分類する分類部と、
前記第１のグループに含まれる複数の放送画像データを同一画面上に配列された複数の表示枠のそれぞれに表示する第１の番組案内用画面データ、及び、前記第２のグループに含まれる複数の放送画像データを同一画面上に配列された前記複数の表示枠と同一の表示枠のそれぞれに表示する第２の番組案内用画面データが、所定の時間間隔で切替わる番組案内用画面データを生成する画面データ生成部と、
前記所定の時間間隔に関する時間情報、並びに、前記第１及び第２の番組案内用画面データのそれぞれに含まれる複数の放送画像データに対応する放送番組識別情報を生成する放送情報生成部と、
前記番組案内用画面データ、前記時間情報、及び、前記放送番組識別情報を前記受信装置に送信する送信部と、
を備えることを特徴とする送受信システム。
【請求項８】
送信装置と画像データ出力部を備える受信装置とからなる送受信システムによる送受信方法であって、
前記送信装置は、
複数の放送番組に対応した放送画像データを取得し、
前記取得された複数の放送画像データを少なくとも第１のグループと第２のグループに分類し、
前記第１のグループに含まれる複数の放送画像データを同一画面上に配列された複数の表示枠のそれぞれに表示する第１の番組案内用画面データ、及び、前記第２のグループに含まれる複数の放送画像データを同一画面上に配列された前記複数の表示枠と同一の表示枠のそれぞれに表示する第２の番組案内用画面データが、所定の時間間隔で切替わる番組案内用画面データを生成し、
前記所定の時間間隔に関する時間情報、並びに、前記第１及び第２の番組案内用画面データのそれぞれに含まれる複数の放送画像データに対応する放送番組識別情報を生成し、
前記番組案内用画面データ、前記時間情報、及び、前記放送番組識別情報を送信し、
前記受信装置は、
前記複数の放送番組に対応した放送画像データ、前記番組案内用画面データ、前記時間情報、及び、前記放送番組識別情報を受信し、
前記番組案内用画面データを出力し、
ユーザの操作によりいずれかの表示枠が選択された場合、選択された時刻に出力されている前記第１又は第２の番組案内用画面データに含まれ、且つ、選択された表示枠に対応する放送番組識別情報を検出し、
前記検出された放送番組識別情報に対応する前記放送画像データが前記画像データ出力部から出力されるように制御する、
こと含むことを特徴とする送受信方法。
【発明の詳細な説明】
【技術分野】
【０００１】
本発明は、送受信システム、送信装置及び送受信方法に関する。
【背景技術】
【０００２】
近年、視聴者が、放送局の放送装置から放送された番組案内画面を表示する受信装置を操作することによって、受信装置が送信装置から送信される放送番組を選局できる送受信システムが知られている。このような送受信システムでは、受信装置によって、案内文字情報又は案内画像情報等の番組案内情報が選択可能に表示される。受信装置に表示された番組案内情報が視聴者によって選択操作されると、選択された番組案内情報に対する放送番組が選局される。そして、受信装置は、選局された放送番組の放送画像データを表示する。
【０００３】
例えば、特許文献１には、１つの画面を複数に分割した子画面のそれぞれに１６放送チャンネル分の映像が表示されるマルチ画面を、表示装置に表示させる電子番組ガイド受信装置が記載されている。この電子番組ガイド受信装置では、視聴者によっていずれかの子画面が選択された場合、選択された子画面に対応する放送チャンネルが選局される。また、この電子番組ガイド受信装置では、表示装置に表示されたカーソルが各子画面に位置した場合、視聴者の選局操作による選局処理、カーソルが位置する子画面の番組の番組内容の表示処理等が実行される。
【先行技術文献】
【特許文献】
【０００４】
【特許文献１】特開平８−２８９２６４号公報
【発明の概要】
【発明が解決しようとする課題】
【０００５】
しかしながら、従来の放送番組選択システムでは、案内することができる放送番組の数は、１つの画面を分割した複数の表示領域（子画面）の数に限られていた。このため、案内される放送番組の数が増大するにつれて、各表示領域の大きさが小さくなるため、視聴者は、案内される放送番組の数が所定数を超えると、表示領域内の番組の内容を視認しづらくなる場合があった。
【０００６】
本発明は、このような課題を解決すべくなされたものであり、放送番組の案内数に関わらず、視聴者にとって視認性の高い番組案内画面を提供することを可能とする送受信システム、送信装置、及び送受信方法を提供することを目的とする。
【課題を解決するための手段】
【０００７】
本発明に係る送受信システムは、送信装置と受信装置とからなる送受信システムであって、送信装置は、複数の放送番組に対応した放送画像データを取得する取得部と、取得された複数の放送画像データを少なくとも第１のグループと第２のグループに分類する分類部と、第１のグループに含まれる複数の放送画像データを同一画面上に配列された複数の表示枠のそれぞれに表示する第１の番組案内用画面データ、及び、第２のグループに含まれる複数の放送画像データを同一画面上に配列された複数の表示枠と同一の表示枠のそれぞれに表示する第２の番組案内用画面データが、所定の時間間隔で切替わる番組案内用画面データを生成する画面データ生成部と、所定の時間間隔に関する時間情報、並びに、第１及び第２の番組案内用画面データのそれぞれに含まれる複数の放送画像データに対応する放送番組識別情報を生成する放送情報生成部と、番組案内用画面データ、時間情報、及び、放送番組識別情報を送信する送信部と、を備え、受信装置は、複数の放送番組に対応した放送画像データ、番組案内用画面データ、時間情報、及び、放送番組識別情報を受信する受信部と、番組案内用画面データを出力する画像データ出力部と、ユーザの操作によりいずれかの表示枠が選択された場合、選択された時刻に出力されている第１又は第２の番組案内用画面データに含まれ、且つ、選択された表示枠に対応する放送番組識別情報を検出する検出部と、検出された放送番組識別情報に対応する放送画像データが画像データ出力部から出力されるように制御する制御部と、を備える。
【０００８】
また、本発明に係る送受信システムにおいて、受信部によって受信される放送番組に対応した放送画像データは、放送局から送信される放送データに含まれることが好ましい。
【０００９】
また、本発明に係る送受信システムにおいて、送信部は、複数の放送番組に対応した放送画像データを受信装置に送信することが好ましい。
【００１０】
また、本発明に係る送受信システムにおいて、画像データ出力部は、出力された番組案内用画面データに基づいて、番組案内用画面を表示し、表示された番組案内用画面に配列した複数の表示枠のいずれかの位置に、カーソル図形を移動可能に表示し、検出部は、ユーザによって選択入力された場合、カーソル図形が位置する表示枠を選択することが好ましい。
【００１１】
また、本発明に係る送受信システムにおいて、受信装置は、記憶部を更に備え、制御部は、選択された表示枠の表示位置を記憶部に記憶し、ユーザによって番組案内用画面データの出力が指示された場合、記憶部に記憶された表示位置を取得し、番組案内用画面を表示するとともに、取得した表示位置の表示枠にカーソル図形を表示することが好ましい。
【００１２】
また、本発明に係る送受信システムにおいて、カーソル図形は、所定の条件に応じた表示態様で表示されることが好ましい。
【００１３】
本発明に係る送信装置は、受信装置に放送データを送信する送信装置であって、複数の放送番組に対応した放送画像データを取得する取得部と、取得された複数の放送画像データを少なくとも第１のグループと第２のグループに分類する分類部と、第１のグループに含まれる複数の放送画像データを同一画面上に配列された複数の表示枠のそれぞれに表示する第１の番組案内用画面データ、及び、第２のグループに含まれる複数の放送画像データを同一画面上に配列された複数の表示枠と同一の表示枠のそれぞれに表示する第２の番組案内用画面データが、所定の時間間隔で切替わる番組案内用画面データを生成する画面データ生成部と、所定の時間間隔に関する時間情報、並びに、第１及び第２の番組案内用画面データのそれぞれに含まれる複数の放送画像データに対応する放送番組識別情報を生成する放送情報生成部と、番組案内用画面データ、時間情報、及び、放送番組識別情報を受信装置に送信する送信部と、を備える。
【００１４】
本発明に係る送受信方法は、送信装置と画像データ出力部を備える受信装置とからなる送受信システムによる送受信方法であって、送信装置は、複数の放送番組に対応した放送画像データを取得し、取得された複数の放送画像データを少なくとも第１のグループと第２のグループに分類し、第１のグループに含まれる複数の放送画像データを同一画面上に配列された複数の表示枠のそれぞれに表示する第１の番組案内用画面データ、及び、第２のグループに含まれる複数の放送画像データを同一画面上に配列された複数の表示枠と同一の表示枠のそれぞれに表示する第２の番組案内用画面データが、所定の時間間隔で切替わる番組案内用画面データを生成し、所定の時間間隔に関する時間情報、並びに、第１及び第２の番組案内用画面データのそれぞれに含まれる複数の放送画像データに対応する放送番組識別情報を生成し、番組案内用画面データ、時間情報、及び、放送番組識別情報を送信し、受信装置は、複数の放送番組に対応した放送画像データ、番組案内用画面データ、時間情報、及び、放送番組識別情報を受信し、番組案内用画面データを出力し、ユーザの操作によりいずれかの表示枠が選択された場合、選択された時刻に出力されている第１又は第２の番組案内用画面データに含まれ、且つ、選択された表示枠に対応する放送番組識別情報を検出し、検出された放送番組識別情報に対応する放送画像データが画像データ出力部から出力されるように制御する、こと含む。
【発明の効果】
【００１５】
本発明に係る送受信システム、送信装置及び送受信方法によって、放送番組の案内数に関わらず、視聴者にとって視認性の高い番組案内画面を提供することが可能となる。
【図面の簡単な説明】
【００１６】
【図１】送受信システム１の概略を説明するための模式図である。
【図２】送受信システム１の概略を説明するための模式図である。
【図３】送受信システム１の概略構成の一例を示す図である。
【図４】送信装置２の概略構成の一例を示す図である。
【図５】受信装置３の概略構成の一例を示す図である。
【図６】（ａ）は、第１の番組案内用画面データの概略を説明するための模式図であり、（ｂ）は、第２の番組案内用画面データの概略を説明するための模式図である。
【図７】カーソル図形の概略を説明するための模式図である。
【図８】（ａ）は、第１の番組案内用画面の一例を示す図であり、（ｂ）は、第２の番組案内用画面の一例を示す図である。
【図９】（ａ）は、第１の番組案内用画面の一例を示す図であり、（ｂ）は、放送番組の放送画像画面の一例を示す図である。
【図１０】（ａ）は、第２の番組案内用画面の一例を示す図であり、（ｂ）は、放送番組の放送画像画面の一例を示す図である。
【図１１】放送データ生成処理の動作フローの一例を示す図である。
【図１２】番組案内用画面表示処理の動作フローの一例を示す図である。
【図１３】選局処理の動作フローの一例を示す図である。
【図１４】送信装置２０の概略構成の一例を示す図である。
【図１５】受信装置３０の概略構成の一例を示す図である。
【発明を実施するための形態】
【００１７】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１８】
送受信システム１は、放送事業者等が所有する送信装置２と各家庭等に設置された受信装置３とを有する。送信装置２は、放送事業者等の操作に従って放送データを生成し、生成した放送データを、中継局等を介して受信装置３に送信する。なお、送信装置２は、生成した放送データを、ケーブルテレビ（Cable Television, CATV）網を介して受信装置３に送信してもよい。
【００１９】
なお、放送データは、画像データ、音声データ、及び放送情報データ等を含む。画像データは、例えば、放送番組の映像データ、静止画像データ等である。放送情報データは、ＢＭＬ（Broadcast Markup Language）等の記述言語によって記述された図形画像データ、文字データ及び／又は制御データである。図形画像データ及び文字データは、受信装置３によって実行されるＢＭＬブラウザ等によって表示される。制御データは、表示制御等の制御情報が特定されたデータであり、例えば、図形画像データを移動表示させたり、視聴者の操作入力情報に基づいて選局処理を実行させたりする制御情報を特定するためのデータである。
【００２０】
送信装置２は、放送番組を選択するための放送データとして、番組案内用画面データを生成する。番組案内用画面データは、少なくとも２つ以上の番組案内用画面を受信装置３に表示させるための画像データである。以下、番組案内用画面データが２つある場合を例として、図１及び２を参照して説明する。なお、２つの番組案内画面データのうち、一方の番組案内用画面データを第１の番組案内用画面データと称し、他方の番組案内用画面データを第２の番組案内用画面データと称する場合がある。
【００２１】
図１は、送受信システム１の概略を説明するための模式図である。
【００２２】
まず、送信装置２は、複数の放送番組に対応した放送画像データを取得する。図１の（１）に示される例では、送信装置２は、チャンネル１〜８の複数の放送番組のそれぞれに対応し且つ放送中の放送画像データを取得する。なお、チャンネル１〜８のそれぞれを識別するための放送番組識別情報は、ＣＨ−１〜ＣＨ−８である。
【００２３】
次に、送信装置２は、取得された複数の放送画像データを第１のグループと第２のグループとに分類する。図１の（１）に示される例では、取得された複数の放送画像データは、チャンネル１〜４に対応する放送画像データを含む第１のグループと、チャンネル５〜８に対応する放送画像データを含む第２のグループとに分類される。なお、送信装置２は、取得された複数の放送画像データを３以上のグループに分類してもよい。以下、第１のグループに含まれる放送画像データの放送番組を、第１の放送番組と称し、第２のグループに含まれる放送画像データの放送番組を、第２の放送番組と称する場合がある。
【００２４】
次に、送信装置２は、第１のグループに含まれる複数の第１の放送画像データを同一画面上に配列された複数の表示枠のそれぞれに表示する第１の番組案内用画面データを生成する。複数の表示枠のそれぞれは、例えば、矩形形状であり、複数の第１の放送画像データのそれぞれに対応する。各第１の放送画像データは、対応する各表示枠内に表示される画像サイズに縮小される。なお、各表示枠の形状は、矩形形状に限定されず、どのような形状でもよい。また、表示枠内に表示される画像サイズの縮小率は、どのような縮小率であってもよい。
【００２５】
また、送信装置２は、第２のグループに含まれる複数の第２の放送画像データを、同一画面上に配列された複数の表示枠のそれぞれに表示する第２の番組案内用画面データを生成する。第１の番組案内用画面データにおける複数の表示枠と第２の番組案内用画面データにおける複数の表示枠とは、同一の表示枠である。なお、複数の表示枠のそれぞれに対して、放送番組識別情報と表示位置とが関連付けて記憶される。各表示枠に関連付けられた表示位置は、同一画面上における各表示枠の位置を示す座標情報、又は、各表示枠の形状を規定するための座標情報等である。
【００２６】
図１に示される例では、複数の表示枠のそれぞれは、縦方向に２列、及び、横方向に２行、配列されている。第１の番組案内用画面データにおけるチャンネル１の表示枠且つ第２の番組案内用画面データにおけるチャンネル５の表示枠には、（１，１）の座標情報が表示位置として対応付けられる。また、第１の番組案内用画面データにおけるチャンネル２の表示枠且つ第２の番組案内用画面データにおけるチャンネル６の表示枠には、（２，１）の座標情報が表示位置として対応付けられる。また、第１の番組案内用画面データにおけるチャンネル３の表示枠且つ第２の番組案内用画面データにおけるチャンネル７の表示枠には、（１，２）の座標情報が表示位置として対応付けられる。また、第１の番組案内用画面データにおけるチャンネル４の表示枠且つ第２の番組案内用画面データにおけるチャンネル８の表示枠には、（２，２）の座標情報が表示位置として対応付けられる。
【００２７】
次に、送信装置２は、生成した第１の番組案内用画面データ及び第２の番組案内用画面データを所定の時間間隔で切替わる番組案内用画面データを生成する。所定の時間間隔は、例えば２０秒である。
【００２８】
また、送信装置２は、図１の（２）に示されるように、放送番組を選択するための放送データとして、番組案内情報データを生成する。番組案内情報データは、番組案内用画面データに含まれる放送番組識別情報、並びに、第１の番組案内用画面データ及び第２の番組案内用画面データを切り替える所定の時間間隔に関する時間情報を含む放送情報データである。また、番組案内情報データには、カーソル図形を含む図形画像データが含まれてもよい。
【００２９】
番組案内用画面データに含まれる放送番組識別情報は、複数の第１の放送番組及び複数の第２の放送番組のそれぞれに対応する放送番組識別情報である。第１の番組案内用画面データにおける複数の表示枠の表示位置に、各表示枠に対応する放送番組の放送番組識別情報が関連付けられる。また、第２の番組案内用画面データにおける複数の表示枠の表示位置に、各表示枠に対応する放送番組の放送番組識別情報が関連付けられる。図１の（２）に示される例では、座標情報（１，１）の表示位置の表示枠には、第１の放送番組の放送番組識別情報としてＣＨ−１が対応付けられ、第２の放送番組の放送番組識別情報としてＣＨ−５が対応付けられる。また、座標情報（２，１）の表示位置の表示枠には、第１の放送番組の放送番組識別情報としてＣＨ−２が対応付けられ、第２の放送番組の放送番組識別情報としてＣＨ−６が対応付けられる。また、座標情報（１，２）の表示位置の表示枠には、第１の放送番組の放送番組識別情報としてＣＨ−３が対応付けられ、第２の放送番組の放送番組識別情報としてＣＨ−７が対応付けられる。また、座標情報（２，２）の表示位置の表示枠には、第１の放送番組の放送番組識別情報としてＣＨ−４が対応付けられ、第２の放送番組の放送番組識別情報としてＣＨ−８が対応付けられる。
【００３０】
第１の番組案内用画面データ及び第２の番組案内用画面データを切り替える所定の時間間隔に関する時間情報は、例えば、ステータス情報又は切替タイミング情報等である。ステータス情報は、第１の番組案内用画面データが送信されている時間間隔では、第１の番組案内用画面データを示す画面識別情報であり、第２の番組案内用画面データが送信されている時間間隔では、第２の番組案内用画面データを示す画面識別情報である。また、切替タイミング情報は、第１の番組案内用画面データから第２の番組案内用画面データに切り替わる時刻を示す情報、及び、第２の番組案内用画面データから第１の番組案内用画面データに切り替わる時刻を示す情報である。
【００３１】
送信装置２は、放送番組を選択するための放送データとして生成された番組案内用画面データ及び番組案内情報データを、受信装置３に送信する。なお、送信装置２は、放送データを、ＣＡＴＶ網を介して受信装置３に送信する場合では、複数の放送番組の放送画像データの全部又は一部を受信装置３に送信してもよい。
【００３２】
図２は、送受信システム１の概略を説明するための模式図である。
【００３３】
図２に示されるように、送信装置２によって送信された、番組案内用画面データ及び番組案内情報データ、並びに、取得した各放送番組の放送画像データを受信した受信装置３は、番組案内用画面データを表示部に出力する。すなわち、受信装置３は、番組案内用画面データに基づいて、第１の番組案内用画面及び第２の番組案内用画面を、時間情報に従って切替えて表示部に表示する。
【００３４】
また、受信装置３は、番組案内情報データに含まれる図形画像データに基づいて、カーソル図形を、表示される第１の番組案内用画面及び第２の番組案内用画面に重畳して移動可能に表示する。カーソル図形は、複数の表示枠のそれぞれと同一又は類似した形状の枠図形であり、ユーザによるリモコン等の操作装置の操作に応じて、画面上の各表示枠の位置に移動表示される。なお、カーソル図形は、当該カーソル図形が表示枠上に表示された場合に、カーソル図形が位置する表示枠をユーザが識別できれば、どのような形状でもよい。
【００３５】
カーソル図形が、ユーザが所望する表示枠の位置に表示され、ユーザによる操作装置の操作に応じて、選択指示が入力されると、受信装置３は、カーソル図形が位置する表示枠の表示位置を選択位置として取得する。次に、受信装置３は、時間情報に基づいて、選択指示が入力された時刻において出力されている案内用画面データが、第１の番組案内用画面データ及び第２の番組案内用画面データのいずれかであるかを判定する。
【００３６】
次に、受信装置３は、取得した選択位置と判定した案内用画面データとに基づいて、放送番組識別情報を検出する。図２に示される例では、選択指示が入力された時刻において表示されている案内用画面が、第１の番組案内用画面であると判定され、且つ、選択位置として座標情報（２，２）が取得される。これにより、第１の放送番組のうち、座標情報（２，２）の選択位置の表示枠に対応する放送番組識別情報（ＣＨ−４）が検出される。
【００３７】
そして、受信装置３は、検出された放送番組識別情報（ＣＨ−４）に対応する放送番組の放送画像データを表示部に表示する。
【００３８】
上述のとおり、送受信システム１は、複数の番組案内用画面データをユーザに提供することができる。これにより、各番組案内用画面において、各番組を紹介する画像等が小さくなりすぎることを防止することができ、ユーザは容易に放送番組を選択できるようになる。したがって、放送番組の案内数に関わらず、視聴者にとって視認性の高い番組案内画面を提供することが可能となる。
【００３９】
なお、上述した図１及び２の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００４０】
（送受信システム１の概略構成）
図３は、送受信システム１の概略構成の一例を示す図である。
【００４１】
送受信システム１は、送信装置２及び受信装置３を有する。受信装置３は、例えば、テレビ受像機等であり、アンテナ部４と接続される。受信装置３は、送信装置２から送信された放送データを、アンテナ部４を介して受信し、放送データに含まれる画像データを表示するとともに、放送データに含まれる音声データを音声出力する。
【００４２】
（送信装置２の概略構成）
図４は、送信装置２の概略構成の一例を示す図である。
【００４３】
送信装置２は、放送番組を選択するための放送データとして番組案内用画面データ及び番組案内情報データを生成し、生成した放送データを、受信装置３に送信する機能を有する。そのために、送信装置２は、信号生成部２０１と、混合分配部２０２と、第１ＳＴＢ（Set Top Box）２０３と、第２ＳＴＢ２０４と、第１画面分割部２０５と、第２画面分割部２０６と、送出制御部２０７と、入力切替部２０８と、データ放送送出部２０９と、多重化部２１０と、第１変調部２１１と、送信部２１２とを備える。
【００４４】
信号生成部２０１は、複数の放送局のそれぞれから提供される番組放送の放送画像データを含む放送データを取得し、取得した放送データに基づいて、ＯＦＤＭ（Orthogonal Frequency Division Multiplexing）信号を生成する。そして、信号生成部２０１は、生成したＯＦＤＭ信号を混合分配部２０２に送出する。なお、信号生成部２０１によって生成されたＯＦＤＭ信号は、各番組放送の放送画像データを示す信号である。また、信号生成部２０１は、取得部の一例である。
【００４５】
混合分配部２０２は、信号生成部２０１から受け取った複数の放送局のそれぞれ放送番組のＯＦＤＭ信号を、第１ＳＴＢ２０３及び第２ＳＴＢ２０４に送出し、後述する第１変調部２１１から受け取ったＯＦＤＭ信号を送信部２１２に送出する。なお、混合分配部２０２は、分類部の一例である。
【００４６】
送信装置２は、第１のグループに含まれる複数の放送番組のそれぞれに対応する複数の第１ＳＴＢ２０３を備える。各第１ＳＴＢ２０３は、混合分配部２０２から受け取った第１のグループに含まれる各放送番組のＯＦＤＭ信号を復調することにより放送画像データを生成し、生成した放送画像データを入力切替部２０８に送出する。
【００４７】
また、送信装置２は、第２のグループに含まれる複数の放送番組のそれぞれに対応する複数の第２ＳＴＢ２０４を備える。第２ＳＴＢ２０４は、混合分配部２０２から受け取った第２のグループに含まれる各放送番組のＯＦＤＭ信号を復調することにより放送画像データを生成し、生成した放送画像データを入力切替部２０８に送出する。
【００４８】
第１画面分割部２０５は、例えば、画面分割ユニットであり、第１ＳＴＢ２０３から受け取った複数の放送画像データのそれぞれを、同一画面上に配列された複数の表示枠のうちの予め定められた各表示枠に表示する第１の番組案内用画面データを生成する。そして、第１画面分割部２０５は、生成した第１の番組案内用画面データを入力切替部２０８に送出する。
【００４９】
第２画面分割部２０６は、例えば、画面分割ユニットであり、第２ＳＴＢ２０４から受け取った複数の放送画像データのそれぞれを、同一画面上に配列された複数の表示枠のうちの予め定められた各表示枠に表示する第２の番組案内用画面データを生成する。そして、第２画面分割部２０６は、生成した第２の番組案内用画面データを入力切替部２０８に送出する。
【００５０】
送出制御部２０７は、例えば、制御サーバである。送出制御部２０７は、入力切替部２０８に、第１の番組案内用画面データ及び第２の番組案内用画面データのいずれか一方を多重化部２１０に送出させるための指示情報を生成する。送出制御部２０７は、所定の時間間隔が経過するたびに、生成した指示情報を入力切替部２０８に送出する。
【００５１】
また、送出制御部２０７は、所定の時間間隔ごとに、入力切替部２０８が多重化部２１０に送出している番組案内用画面データの画面識別情報をデータ放送送出部２０９に送出する。すなわち、送出制御部２０７は、第１の番組案内用画面データが送出されている時間では、第１の番組案内用画面データを示す画面識別情報（例えば、「Ｐａｇｅ．１」等）をデータ放送送出部に送出する。また、送出制御部２０７は、第２の番組案内用画面データが送出されている時間では、第２の番組案内用画面データを示す画面識別情報（例えば、「Ｐａｇｅ．２」等）をデータ放送送出部２０９に送出する。例えば、１６時４８分０秒から１６時４８分２０秒まで、第１の番組案内用画面データが送出されている場合、送出制御部２０７は、「Ｐａｇｅ．１」の画面識別情報をデータ放送送出部に送出する。また、例えば、１６時４８分２０秒から１６時４８分４０秒まで、第２の番組案内用画面データが送出されている場合、送出制御部２０７は、「Ｐａｇｅ．２」の画面識別情報をデータ放送送出部に送出する。
【００５２】
入力切替部２０８は、例えば、入力切替装置であり、第１画面分割部２０５から受け取った第１の番組案内用画面データと第２画面分割部２０６から受け取った第２の番組案内用画面データとのいずれか一方を多重化部２１０に送出する。入力切替部２０８は、第１の番組案内用画面データを多重化部２１０に送出している時に、送出制御部２０７から指示情報を受け取ると、第１の番組案内用画面データの送出を中止し、第２の番組案内用画面データを多重化部２１０に送出する。また、入力切替部２０８は、第２の番組案内用画面データを多重化部２１０に送出している時に、送出制御部２０７から指示情報を受け取ると、第２の番組案内用画面データの送出を中止し、第１の番組案内用画面データを多重化部２１０に送出する。このように、入力切替部２０８は、第１の番組案内用画面データと第２の番組案内用画面データとが所定の時間間隔で切替わる番組案内用画面データを生成して、生成した番組案内用画面データを多重化部２１０に送出する。なお、入力切替部２０８は、画面データ生成部の一例である。
【００５３】
データ放送送出部２０９は、第１の番組案内用画面データ及び第２の番組案内用画面データのそれぞれに含まれる複数の放送画像データに対応する放送番組識別情報を生成する。例えば、データ放送送出部２０９は、送信装置２を所有する放送事業者によって入力された放送番組情報に基づいて、放送番組識別情報を生成する。また、データ放送送出部２０９は、混合分配部２０２から、第１ＳＴＢ２０３及び第２ＳＴＢ２０４に送出した放送番組の放送番組識別情報を取得してもよい。なお、各放送番組識別情報には、表示される表示枠の表示位置が対応付けられている。
【００５４】
また、データ放送送出部２０９は、送出制御部２０７から受け取った画面識別情報に基づいて、所定の時間間隔ごとに、画面識別情報を示すイベントメッセージを生成する。例えば、１６時４８分０秒から１６時４８分２０秒まで、第１の番組案内用画面データが送出されている場合、データ放送送出部２０９は、「Ｐａｇｅ．１」を示すイベントメッセージを生成する。また、例えば、１６時４８分２０秒から１６時４８分４０秒まで、第２の番組案内用画面データが送出されている場合、データ放送送出部２０９は、「Ｐａｇｅ．２」を示すイベントメッセージを生成する。さらに、データ放送送出部２０９は、カーソル図形を含む図形画像データを生成する。なお、データ放送送出部２０９は、放送情報生成部の一例であり、イベントメッセージは、時間情報の一例である。
【００５５】
そして、データ放送送出部２０９は、生成した各種情報を放送情報データとして多重化部２１０に送出する。
【００５６】
多重化部２１０は、入力切替部２０８から番組案内用画面データを受け取り、データ放送送出部２０９から放送情報データを受け取ると、番組案内用画面データ及び放送情報データをＴＳ（Transport Stream）の信号形式に多重化し、ＴＳ信号を生成する。多重化部２１０は、生成したＴＳ信号を第１変調部２１１に送出する。なお、ＴＳ信号で示される番組案内用画面データが第１の番組案内用画面データである時間では、放送情報データに「Ｐａｇｅ．１」を示すイベントメッセージが含まれる。また、ＴＳ信号で示される番組案内用画面データが第２の番組案内用画面データである時間では、放送情報データに「Ｐａｇｅ．２」を示すイベントメッセージが含まれる。
【００５７】
第１変調部２１１は、多重化部２１０からＴＳ信号を受け取ると、取得したＴＳ信号に基づいてＯＦＤＭ信号を生成する。そして、第１変調部２１１は、生成したＯＦＤＭ信号を、混合分配部２０２を介して送信部２１２に送出する。なお、第１変調部２１１は、ＯＦＤＭ信号に変調する変調方式に限らず、受信装置３が処理可能な信号であれば、取得したＴＳ信号をどのような変調方式で変調してもよい。例えば、第１変調部２１１は、多重化部２１０から取得したＴＳ信号に基づいて、６４ＱＡＭの変調方式によって６４値データを生成してもよい。
【００５８】
送信部２１２は、受け取ったＯＦＤＭ信号を、放送信号として受信装置３に送信する。これにより、送信装置２によって生成された番組案内用画面データ及び放送情報データを含む放送データが、送信装置２から受信装置３に送信される。
【００５９】
（受信装置３の概略構成）
図５は、受信装置３の概略構成の一例を示す図である。
【００６０】
受信装置３は、送信装置２から送信された放送データを受信し、受信した放送データに基づいて番組案内用画面を表示する機能を有する。そのために、受信装置３は、受信制御部３０１と、選局部３０２と、復調部３０３と、多重分離部３０４と、デコーダ部３０５と、音声出力部３０６と、画像重畳部３０７と、表示部３０８と、記憶部３０９とを備える。
【００６１】
受信制御部３０１は、一又は複数個のプロセッサ及びその周辺回路を備える。受信制御部３０１は、受信装置３の全体的な動作を統括的に制御するものであり、例えば、ＣＰＵ（Central Processing Unit）である。受信制御部３０１は、ユーザによるリモコン等の操作装置の操作に応じて受信した選択入力信号に従って、選択された放送番組を選局する選局指示を選局部３０２に送出する。また、受信制御部３０１は、多重分離部３０４から受け取った放送情報データに基づいて、カーソル図形等の図形画像データ及び文字データ等を生成し、生成した図形画像データ及び文字データ等を、画像重畳部３０７に送出するとともに、記憶部３０９に、受け取った放送情報データを記憶する。なお、記憶部３０９にカーソル図形の表示位置が記憶されている場合は、受信制御部３０１は、記憶部３０９から表示位置を読み出し、表示位置を、カーソル図形の図形画像データとともに画像重畳部３０７に送出する。
【００６２】
また、受信制御部３０１は、表示部３０８に番組案内用画面が表示されている場合、ユーザによるリモコン等の操作装置の操作に応じて受信した番組案内用画面に重畳表示されているカーソル図形の移動指示に従って、移動後の表示枠の位置情報を画像重畳部３０７に送出する。
【００６３】
また、受信制御部３０１は、表示部３０８に番組案内用画面が表示されている場合、ユーザによるリモコン等の操作装置の操作に応じて受信したカーソル図形の選択指示に従って、カーソル図形が位置する表示枠を選択し、選択した表示枠の表示位置を記憶部３０９に記憶する。さらに、受信制御部３０１は、記憶部３０９に記憶された放送情報データに含まれるイベントメッセージと選択した表示枠に対応する表示位置とを取得する。そして、受信制御部３０１は、イベントメッセージに基づいて、表示されている番組案内画面が、第１の番組案内画面及び第１の番組案内画面のいずれであるかを判定し、第１の番組案内画面に含まれる放送番組識別情報のうち、取得した表示位置の表示枠に対応する放送番組識別情報を検出する。そして、受信制御部３０１は、選択された放送番組識別情報の放送番組を選局する選局指示を選局部３０２に送出する。なお、受信制御部３０１は、検出部及び制御部の一例である。
【００６４】
選局部３０２は、アンテナ部４を介して受信した各チャンネルに対応する放送信号のうち、受信制御部３０１から受け取った選局指示に対応するチャンネルの放送信号を抽出する。そして、選局部３０２は、抽出した放送信号を復調部３０３に送出する。なお、選局部３０２は、受信部の一例である。
【００６５】
復調部３０３は、選局部３０２から受け取った放送信号を復調するとともに誤り訂正を行うことにより、放送信号をＴＳ信号に戻す。そして、復調部３０３は、ＴＳ信号を多重分離部３０４に送出する。
【００６６】
多重分離部３０４は、復調部３０３からＴＳ信号を受け取ると、ＴＳ信号に含まれる番組案内用画面データ及び放送情報データを分離する。多重分離部３０４は、番組案内用画面データをデコーダ部３０５に送出するとともに、放送情報データを受信制御部３０１に送出する。なお、復調部３０３から受け取ったＴＳ信号が、各放送局から送信された放送番組の放送データを示すＴＳ信号である場合、多重分離部３０４は、ＴＳ信号に含まれる放送画像データ、音声データ及び放送情報データを分離する。この場合、多重分離部３０４は、放送画像データ及び音声データをデコーダ部３０５に送出するとともに、放送情報データを受信制御部３０１に送出する。
【００６７】
デコーダ部３０５は、多重分離部３０４から受け取った番組案内用画面データ、放送画像データ及び音声データを復号する。そして、デコーダ部３０５は、復号した番組案内用画面データ及び放送画像データを画像重畳部３０７に送出するとともに、復号した音声データを音声出力部３０６に送出する。
【００６８】
音声出力部３０６は、例えば、スピーカであり、デコーダ部３０５から受け取った音声データを音声出力する。
【００６９】
画像重畳部３０７は、受信制御部３０１から受け取った図形画像データ及び文字データ等と、デコーダ部３０５から受け取った番組案内用画面データ又は放送画像データとを重畳して作成した画像データを表示部３０８に出力する。なお、画像重畳部３０７は、カーソル図形の図形画像データを表示位置とともに受け取った場合、表示位置に対応する表示枠にカーソル図形を配置した番組案内用画面データの画像データを表示部３０８に出力する。なお、映像出力部５０４は、第２送信部の一例である。
【００７０】
また、画像重畳部３０７は、番組案内用画面が表示部３０８に表示されている場合、カーソル図形の表示位置のみを受信制御部３０１から受け取ると、受け取った表示位置に対応する表示枠にカーソル図形を配置した番組案内用画面データの画像データを表示部３０８に出力する。
【００７１】
表示部３０８は、例えば、表示装置であり、画像重畳部３０７から受け取った画像データを表示出力する。表示部３０８は、番組案内用画面データとともにカーソル図形の図形画像データを受け取った場合、カーソル図形が重畳された番組案内用画面を表示する。また、表示部３０８は、放送番組の放送画像データを受け取った場合、放送画像データを表示する。なお、表示部３０８は、画像データ出力部の一例である。
【００７２】
記憶部３０９は、例えば、半導体メモリ装置を備える。記憶部３０９は、受信制御部３０１での処理に用いられる各種プログラム、データ等を記憶する。記憶部３０９は、データとして、カーソル図形が位置した表示枠の表示位置等を記憶する。
【００７３】
（第１の番組案内用画面データの概略）
図６（ａ）は、第１の番組案内用画面データ６００の概略を説明するための模式図である。
【００７４】
第１の番組案内用画面データ６００は、複数の表示枠６０１のそれぞれに配置された、第１のグループに含まれる複数の第１の放送番組の放送画像データ６０２を有する。図６（ａ）に示される例では、複数の表示枠６０１は、同一画面上に規定された縦４行及び横５列に配列された矩形の同一形状の表示枠である。なお、表示枠の配列は、縦４行及び横５列に限定されない。例えば、第１のグループに含まれる複数の第１の放送番組又は第２のグループに含まれる複数の第２の放送番組の数に応じて、自動的に配列が変更されてもよい。なお、複数の表示枠６０１のそれぞれには、各表示枠６０１の表示位置と表示される放送番組の放送番組識別情報とが対応付けられる。図６（ａ）に示される例では、上から１行目及び左から１列目の表示枠６０１に対して、座標情報（１，１）の表示位置と、ＣＨ−０１の放送番組識別情報とが対応付けられる。
【００７５】
（第２の番組案内用画面データの概略）
図６（ｂ）は、第２の番組案内用画面データ６１０の概略を説明するための模式図である。
【００７６】
第２の番組案内用画面データ６１０は、複数の表示枠６１１のそれぞれに配置された、第２のグループに含まれる複数の第２の放送番組の放送画像データ６１２を有する。図６（ｂ）に示される例では、複数の表示枠６１１は、同一画面上に規定された縦４行及び横５列に配列された矩形の同一形状の表示枠であり、複数の表示枠６０１と同一である。なお、一部の表示枠６１１のみが、対応する表示枠６０１と同一であってもよい。なお、複数の表示枠６１１のそれぞれには、各表示枠６１１の表示位置と表示される放送番組の放送番組識別情報とが対応付けられる。図６（ｂ）に示される例では、上から１行目及び左から１列目の表示枠６１１に対して、座標情報（１，１）の表示位置と、ＣＨ−２１の放送番組識別情報とが対応付けられる。
【００７７】
（カーソル図形の概略）
図７は、カーソル図形７００の概略を説明するための模式図である。
【００７８】
カーソル図形７００は、複数の表示枠７０１のいずれかに配置される。図７に示される例では、複数の表示枠７０１は、同一画面上に規定された縦４行及び横５列に配列された矩形の同一形状の表示枠であり、複数の表示枠６０１と同一である。なお、一部の表示枠７０１のみが、対応する表示枠６０１と同一であってもよい。カーソル図形７００は、ユーザによるリモコン等の操作装置の操作に応じて、複数の表示枠７０１のいずれかの位置に移動表示される。
【００７９】
（番組案内用画面）
図８（ａ）は、受信装置３によって表示される第１の番組案内用画面の一例を示す図である。図８（ａ）に示される例では、第１の番組案内用画面には、第１のグループに含まれる複数の第１の放送番組の放送画像データを示す画像（映像）が表示される。また、第１の番組案内用画面の所定の表示枠の位置にカーソル図形７００が表示される。なお、受信装置３が第１の番組案内用画面を表示する場合、各表示枠の表示位置と表示される放送番組の放送番組識別情報とが、記憶部３０９に記憶されてもよい。
【００８０】
図８（ｂ）は、受信装置３によって表示される第２の番組案内用画面の一例を示す図である。図８（ｂ）に示される例では、第２の番組案内用画面には、第２のグループに含まれる複数の第２の放送番組の放送画像データを示す画像（映像）が表示される。また、第２の番組案内用画面の所定の表示枠の位置にカーソル図形７００が表示される。なお、受信装置３が第２の番組案内用画面を表示する場合、各表示枠の表示位置と表示される放送番組の放送番組識別情報とが、記憶部３０９に記憶されてもよい。
【００８１】
（放送番組の放送画像画面の表示例）
図９（ａ）は、受信装置３によって表示される第１の番組案内用画面の一例を示す図である。ユーザによるリモコン等の操作装置の操作に応じて、カーソル図形７００が画面上の各表示枠の位置に移動表示される。図９（ａ）に示される例では、カーソル図形７００は、チャンネル１２に対応する表示枠の位置に表示されている。
【００８２】
図９（ｂ）は、受信装置３によって表示される放送番組の放送画像画面の一例を示す図である。図９（ｂ）に示される例では、図９（ａ）に示される第１の番組案内用画面において、ユーザによる操作装置の操作に応じて、選択指示が入力されると、カーソル図形が位置する表示枠の表示位置に対応する第１の放送番組（チャンネル１２）の放送画像データが表示される。
【００８３】
図１０（ａ）は、受信装置３によって表示される第２の番組案内用画面の一例を示す図である。ユーザによるリモコン等の操作装置の操作に応じて、カーソル図形７００が画面上の各表示枠の位置に移動表示される。図１０（ａ）に示される例では、カーソル図形７００は、チャンネル２９に対応する表示枠の位置に表示されている。
【００８４】
図１０（ｂ）は、受信装置３によって表示される放送番組の放送画像画面の一例を示す図である。図１０（ｂ）に示される例では、図１０（ａ）に示される第２の番組案内用画面において、ユーザによる操作装置の操作に応じて、選択指示が入力されると、カーソル図形が位置する表示枠の表示位置に対応する第２の放送番組（チャンネル２９）の放送画像データが表示される。
【００８５】
（放送データ生成処理）
図１１は、送出制御部２０７によって実行される放送データ生成処理の動作フローの一例を示す図である。
【００８６】
送出制御部２０７は、現在時刻が所定タイミングに到達したか否かを監視する（ステップＳ１０１）。すなわち、送出制御部２０７は、所定の時間間隔が経過した場合、現在時刻が所定タイミングに到達したと判定する。
【００８７】
次に、送出制御部２０７は、現在時刻が所定タイミングに到達したと判定した場合（ステップＳ１０１−Ｙｅｓ）、送出制御部２０７は、番組案内用画面データを切り替える（ステップＳ１０２）。すなわち、送出制御部２０７は、生成した指示情報を入力切替部２０８に送出する。
【００８８】
そして、送出制御部２０７は、切り替えた番組案内用画面データに係る画面識別情報をデータ放送送出部２０９に送出し（ステップＳ１０３）、一連のステップを終了する。なお、データ放送送出部２０９において、画面識別情報を含むイベントメッセージが生成される。なお、放送データ生成処理の一連のステップが終了した場合、送出制御部２０７は、放送データ生成処理を再び実行する。
【００８９】
（番組案内用画面表示処理）
図１２は、受信制御部３０１によって実行される番組案内用画面表示処理の動作フローの一例を示す図である。
【００９０】
まず、受信制御部３０１は、選局情報を取得する（ステップＳ２０１）。
【００９１】
次に、受信制御部３０１は、取得した選局指示を選局部３０２に送出する（ステップＳ２０２）。
【００９２】
次に、受信制御部３０１は、多重分離部３０４からデータ放送情報を取得する（ステップＳ２０３）。
【００９３】
次に、受信制御部３０１は、記憶部３０９にカーソル図形の表示位置が記憶されているか否かを判定する（ステップＳ２０４）。
【００９４】
次に、受信制御部３０１は、記憶部３０９にカーソル図形の表示位置が記憶されていないと判定した場合（ステップＳ２０４−Ｎｏ）、カーソル位置の表示位置として、所定位置（例えば、座標情報（１，１）等）を設定し、記憶部３０９に記憶する（ステップＳ２０５）。また、受信制御部３０１は、記憶部３０９にカーソル図形の表示位置が記憶されていると判定した場合（ステップＳ２０４−Ｙｅｓ）、ステップＳ２０６に処理を進める。
【００９５】
そして、受信制御部３０１は、記憶部３０９に記憶されているカーソル図形の表示位置を読み出して、画像重畳部３０７に対して、カーソル図形の図形画像データと表示位置を渡すとともに表示指示を送出し（ステップＳ２０６）、一連のステップを終了する。
【００９６】
（選局処理）
図１３は、受信制御部３０１によって実行される選局処理の動作フローの一例を示す図である。
【００９７】
まず、受信制御部３０１は、カーソル図形の表示位置を取得する（ステップＳ３０１）。
【００９８】
次に、受信制御部３０１は、カーソル図形の表示位置を記憶部３０９に記憶する（ステップＳ３０２）。
【００９９】
次に、受信制御部３０１は、記憶部３０９に記憶された放送情報データに含まれるイベントメッセージを取得する（ステップＳ３０３）。
【０１００】
次に、受信制御部３０１は、放送番組識別情報を検出する（ステップＳ３０４）。すなわち、受信制御部３０１は、イベントメッセージに基づいて、表示されている番組案内画面が、第１の番組案内画面及び第１の番組案内画面のいずれであるかを判定し、第１の番組案内画面に含まれる放送番組識別情報のうち、取得した表示位置の表示枠に対応する放送番組識別情報を検出する。
【０１０１】
そして、受信制御部３０１は、選択された放送番組識別情報の放送番組を選局する選局指示を選局部３０２に送出する（ステップＳ３０５）。
【０１０２】
以上説明してきたように、送受信システム１は、複数の番組案内用画面データをユーザに提供することができ、各番組案内用画面において、各番組を紹介する画像等が小さくなりすぎることを防止することができる。これにより、ユーザは容易に放送番組を選択可能となるため、放送番組の案内数に関わらず、視聴者にとって視認性の高い番組案内画面を提供することが可能となる。
【０１０３】
（変形例１）
なお、送信装置２は、ＢＳ（Broadcasting Satellit）放送及び／又はＣＳ（Communications Satellite）放送の放送番組に対応した放送画像データを取得してもよい。図１４は、送信装置２０の概略構成の一例を示す図である。図１４において、図４に示される送信装置２と同じ構成については同じ符号を付し、その説明を省略する。
【０１０４】
変換部２１３は、ＣＳ放送の放送番組に対応した放送データを示す放送信号を取得すると、取得した放送信号をＴＳ信号に変換する。
【０１０５】
第２変調部２１４は、変換部２１３からＴＳ信号を受け取ると、取得したＴＳ信号に基づいてＯＦＤＭ信号を生成する。そして、第２変調部２１４は、生成したＯＦＤＭ信号を、混合分配部２０２を介して第１ＳＴＢ又は第２ＳＴＢに送出する。なお、第１変調部２１１及び第２変調部２１４は、生成された信号が第１ＳＴＢ又は第２ＳＴＢで処理可能であれば、取得したＴＳ信号をどのような変調方式で変調してもよい。例えば、第１変調部２１１は、多重化部２１０から取得したＴＳ信号に基づいて、６４ＱＡＭの変調方式によって６４値データを生成してもよく、また、第２変調部２１４は、変換部２１３から取得したＴＳ信号に基づいて、６４ＱＡＭの変調方式によって６４値データを生成してもよい。
【０１０６】
これにより、送信装置２は、番組案内用画面データを送信するとともに、複数の放送番組に対応した放送画像データを送信することが可能となる。
【０１０７】
（変形例２）
また、受信装置３は、ＣＡＴＶ網を介して受信した放送データを出力してもよい。図１５は、受信装置３０の概略構成の一例を示す図である。図１５において、図５に示される受信装置３と同じ構成については同じ符号を付し、その説明を省略する。
【０１０８】
受信装置３０は、分配部３１０、第１選局部３１１及び第２選局部３１２を更に備える。
【０１０９】
分配部３１０は、受信制御部３０１からの選局指示に応じて、地上デジタル放送の放送番組の放送データを示す放送信号を第１選局部３１１に送出し、且つ、ケーブルテレビ事業者によって自主放送された放送番組の放送データを示す放送信号を第２選局部３１２に送出する。
【０１１０】
第１選局部３１１は、ＣＡＴＶ網を介して受信した地上デジタル放送の放送番組の放送データを示す放送信号のうち、受信制御部３０１から受け取った選局指示に対応するチャンネルの放送信号を抽出する。
【０１１１】
第２選局部３１２は、ＣＡＴＶ網を介して受信したケーブルテレビ事業者によって自主放送された放送番組の放送データを示す放送信号のうち、受信制御部３０１から受け取った選局指示に対応するチャンネルの放送信号を抽出する。
【０１１２】
以上により、受信装置３０は、地上デジタル放送の放送番組の放送データ及びケーブルテレビ事業者によって自主放送された放送番組の放送データの両方に対応することが可能になる。
【０１１３】
（変形例３）
また、表示部３０８に表示されるカーソル図形は、所定の条件に応じた表示態様で表示されてもよい。例えば、送信装置２は、各放送番組識別情報に対し、視聴率、視聴者数、お薦め情報等の付加情報を付加して放送情報データとして、受信装置３に送信する。受信装置３の受信制御部３０１は、記憶部３０９に記憶された放送情報データを参照し、カーソル図形が位置する表示枠に対応する放送番組識別情報に、付加情報が対応付けられている場合、カーソル図形の表示態様を変更して表示部３０８に表示させる。なお、表示態様は、カーソル図形の色、大きさ、スタイル（点線、太線）、動的表示等である。なお、受信制御部３０１は、ユーザによるリモコン等の操作装置の操作に応じて受信したカーソル図形の選択指示に従って、カーソル図形が位置する表示枠に対応する放送番組識別情報を検出し、検出された放送番組識別情報の放送番組を選局する選局指示を選局部３０２に送出するとともに、送信装置２の送出制御部２０７に、選局された放送番組識別情報に関する視聴履歴データを、インターネット等の所定の通信網を介して送信する。これにより、送出制御部２０７は、各放送番組識別情報に対し、視聴率、視聴者数、お薦め情報等の付加情報を作成することができる。この場合、送信装置２及び受信装置３は、インターネット等の通信網と接続する通信部を備える。
【０１１４】
これにより、放送事業者は、カーソル図形が位置する表示枠に対応する放送番組に対する付加情報を視覚的に表示させることが可能となる。
【０１１５】
（変形例４）
また、受信装置３は、受信装置３のユーザを識別するための視聴者識別情報に基づいて、放送データに含まれる放送情報データの表示態様を変更し、表示態様が変更された放送情報データを表示部３０８に表示してもよい。
【０１１６】
まず、受信装置３の受信制御部３０１は、記憶部３０９に記憶された視聴者識別情報及び契約情報等に基づいて、複数の放送番組のそれぞれを識別するための各放送番組識別情報に関連付けられた視聴可能情報を作成する。契約情報は、視聴契約した場合に視聴可能な放送番組であることを示す情報又は視聴契約しなくても視聴可能な放送番組であることを示す情報、若しくは、視聴契約が必要な場合に視聴契約済みであることを示す情報等である。なお、視聴者識別番号は、受信装置３のそれぞれに固有の個体識別番号（ＳＴＢＩＤ等）であってもよい。また、視聴者識別番号は、Ｃ−ＣＡＳ（Conditional Access System）カード等の放送事業者から提供された記憶媒体に記憶された識別情報であってもよく、この場合、受信装置３は、記憶媒体を装着する装着部（ＣＡＳカード用スロット等）を備える。
【０１１７】
次に、受信制御部３０１は、ユーザによるリモコン等の操作装置の操作に応じて受信したカーソル図形の選択指示に従って、カーソル図形が位置する表示枠に対応する放送番組識別情報を検出する。次に、受信制御部３０１は、検出された放送番組識別情報に関連付けられた視聴可能情報が視聴可能を示す情報であるか否かを判定する。
【０１１８】
受信制御部３０１は、検出された放送番組識別情報に関連付けられた視聴可能情報が視聴可能を示す情報である場合、検出された放送番組識別情報の放送番組を選局する選局指示を選局部３０２に送出する。
【０１１９】
また、受信制御部３０１は、検出された放送番組識別情報に関連付けられた視聴可能情報が視聴可能を示す情報でない場合、視聴不可画像を表示するための図形画像データを画像重畳部３０７に送出する。次に、画像重畳部３０７は、受信制御部３０１から受け取った視聴不可画像を表示するための図形画像データに基づき、視聴不可画像を含む画像データを表示部３０８にする。そして、表示部３０８は、画像重畳部３０７から受け取った、視聴不可画像を含む画像データを表示出力する。
【０１２０】
（変形例５）
また、受信装置３は、ユーザの属性を示す視聴者属性識別情報に基づいて、放送データに含まれる放送情報データの表示態様を変更し、表示態様が変更された放送情報データを表示部３０８に表示してもよい。
【０１２１】
受信装置３の受信制御部３０１は、記憶部３０９に記憶された視聴者識別情報、又は、ユーザによるリモコン等の操作装置の操作に応じて、ユーザの属性を示す視聴者属性識別情報を、記憶部３０９に記憶する。
【０１２２】
また、送信装置２の送出制御部２０７は、視聴者属性ごとに予め定められた広告情報（図形画像データ又は文字データ）を関連付けて記憶する。送出制御部２０７は、複数の視聴者属性のそれぞれに関連付けられた広告情報を、表示位置とともにデータ放送送出部２０９に送出する。次に、データ放送送出部２０９は、カーソル図形、及び、送出された表示位置に対応し且つ送出された広告情報、を含む図形画像データを生成する。次に、データ放送送出部２０９は、生成された図形画像データを含む放送情報データを生成し、多重化部２１０に送出する。そして、多重化部２１０によって生成されたＴＳ信号が、第１変調部２１１及び混合分配部２０２を介して、ＯＦＤＭ信号として送信部２１２に送出される。
【０１２３】
次に、受信装置３の受信制御部３０１は、受信した放送信号に基づく放送情報データと、記憶部に記憶された視聴者属性情報とに基づいて、視聴者属性情報に関連する広告情報とカーソル図形とを含む図形画像データ及び文字データ等を生成し、生成した図形画像データ及び文字データ等を、画像重畳部３０７に送出する。
【０１２４】
これにより、ユーザは、自身の属性に応じた広告情報等を表示させることが可能となる。なお、広告情報を示す図形画像データは、インターネット等の所定の通信網を介して送出制御部２０７から受信装置３に送信されてもよい。この場合、送信装置２及び受信装置３は、インターネット等の通信網と接続する通信部を備える。送信装置２の受信制御部３０１は、所定の時間間隔又は選局時に、広告情報の送信要求を、所定の通信網を介して、送出制御部２０７に送信する。そして、送出制御部２０７は、生成した複数の視聴者属性のそれぞれに関連付けられた広告情報を、表示位置とともに送信装置２に送信する。そして、受信装置３の受信制御部３０１は、受信した放送信号に基づく放送情報データと、受信した広告情報と、記憶部に記憶された視聴者属性情報とに基づいて、視聴者属性情報に関連する広告情報とカーソル図形とを含む図形画像データ及び文字データ等を生成し、生成した図形画像データ及び文字データ等を、画像重畳部３０７に送出する。
【０１２５】
なお、ユーザの属性を示す視聴者属性識別情報に基づいて、放送データに含まれる放送情報データの表示態様を変更する処理において、放送情報データは、広告情報を含むものに限らない。放送情報データは、地域案内情報、番組案内情報又は放送局に関する情報等を含むものであってもよい。
【０１２６】
また、送出制御部２０７と受信装置３との所定の通信網を介した通信は、ハイブリットキャスト等のサービスを利用してもよい。この場合、通信される情報は、ＢＭＬ、ＨＴＭＬ（HyperText Markup Language）５、ＸＭＬ（Extensible Markup Language）等の記述言語によって記述される図形画像データ、文字データ及び／又は制御データである。これにより、送出制御部２０７は、表示枠の表示位置に、各種サイトのＵＲＬ（Uniform Resource Locator）を対応付け、受信装置３は、ユーザの表示枠の指定に応じて、各種サイトを表示することが可能となる。
【０１２７】
当業者は、本発明の精神及び範囲から外れることなく、様々な変更、置換、及び修正をこれに加えることが可能であることを理解されたい。
【符号の説明】
【０１２８】
１    送受信システム
２    送信装置
２０１    信号生成部
２０２    混合分配部
２０３    第１ＳＴＢ
２０４    第２ＳＴＢ
２０５    第１画面分割部
２０６    第２画面分割部
２０７    送出制御部
２０８    入力切替部
２０９    データ放送送出部
２１０    多重化部
２１１    第１変調部
２１２    送信部
２１３    変換部
２１４    第２変調部
３    受信装置
３０１    受信制御部
３０２    選局部
３０３    復調部
３０４    多重分離部
３０５    デコーダ部
３０６    音声出力部
３０７    画像重畳部
３０８    表示部
３０９    記憶部
３１０    分配部
３１１    第１選局部
３１２    第２選局部
４    アンテナ部
【図１】
2018107717.tif 000003
【図２】
2018107717.tif 000004
【図３】
2018107717.tif 000005
【図４】
2018107717.tif 000006
【図５】
2018107717.tif 000007
【図６】
2018107717.tif 000008
【図７】
2018107717.tif 000009
【図８】
2018107717.tif 000010
【図９】
2018107717.tif 000011
【図１０】
2018107717.tif 000012
【図１１】
2018107717.tif 000013
【図１２】
2018107717.tif 000014
【図１３】
2018107717.tif 000015
【図１４】
2018107717.tif 000016
【図１５】
2018107717.tif 000017
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
送信装置と受信装置とからなる送受信システムであって、
前記送信装置は、
複数の放送番組に対応した放送画像データを取得する取得部と、
前記取得された複数の放送画像データを少なくとも第１のグループと第２のグループに分類する分類部と、
前記第１のグループに含まれる複数の放送画像データを同一画面上に配列された複数の表示枠のそれぞれに表示する第１の番組案内用画面データ、及び、前記第２のグループに含まれる複数の放送画像データを同一画面上に配列された前記複数の表示枠と同一の表示枠のそれぞれに表示する第２の番組案内用画面データが、所定の時間間隔で切替わる番組案内用画面データを生成する画面データ生成部と、
前記所定の時間間隔に関する時間情報、並びに、前記第１及び第２の番組案内用画面データのそれぞれに含まれる複数の放送画像データに対応する放送番組識別情報を生成する放送情報生成部と、
前記番組案内用画面データ、前記時間情報、及び、前記放送番組識別情報を送信する送信部と、を備え、
前記受信装置は、
前記複数の放送番組に対応した放送画像データ、前記番組案内用画面データ、前記時間情報、及び、前記放送番組識別情報を受信する受信部と、
前記番組案内用画面データを出力する画像データ出力部と、
ユーザの操作によりいずれかの表示枠が選択された場合、選択された時刻に出力されている前記第１又は第２の番組案内用画面データに含まれ、且つ、選択された表示枠に対応する放送番組識別情報を検出する検出部と、
前記検出された放送番組識別情報に対応する前記放送画像データが前記画像データ出力部から出力されるように制御する制御部と、を備える、
ことを特徴とする送受信システム。
【請求項２】
前記受信部によって受信される前記放送番組に対応した放送画像データは、放送局から送信される放送データに含まれる、請求項１に記載の送受信システム。
【請求項３】
前記送信部は、前記複数の放送番組に対応した放送画像データを前記受信装置に送信する、請求項１に記載の送受信システム。
【請求項４】
前記画像データ出力部は、
前記番組案内用画面データに基づいて、番組案内用画面を表示し、
前記表示された番組案内用画面に配列した前記複数の表示枠のいずれかの位置に、カーソル図形を移動可能に表示し、
前記検出部は、ユーザによって選択入力された場合、前記カーソル図形が位置する表示枠を選択する、請求項１又は２に記載の送受信システム。
【請求項５】
前記受信装置は、記憶部を更に備え、
前記制御部は、
前記選択された表示枠の表示位置を前記記憶部に記憶し、
ユーザによって前記番組案内用画面データの出力が指示された場合、前記記憶部に記憶された表示位置を取得し、番組案内用画面を表示するとともに、前記取得した表示位置の表示枠に前記カーソル図形を表示する、請求項４に記載の送受信システム。
【請求項６】
前記カーソル図形は、所定の条件に応じた表示態様で表示される、請求項４又は５に記載の送受信システム。
【請求項７】
受信装置に放送データを送信する送信装置であって、
複数の放送番組に対応した放送画像データを取得する取得部と、
前記取得された複数の放送画像データを少なくとも第１のグループと第２のグループに分類する分類部と、
前記第１のグループに含まれる複数の放送画像データを同一画面上に配列された複数の表示枠のそれぞれに表示する第１の番組案内用画面データ、及び、前記第２のグループに含まれる複数の放送画像データを同一画面上に配列された前記複数の表示枠と同一の表示枠のそれぞれに表示する第２の番組案内用画面データが、所定の時間間隔で切替わる番組案内用画面データを生成する画面データ生成部と、
前記所定の時間間隔に関する時間情報、並びに、前記第１及び第２の番組案内用画面データのそれぞれに含まれる複数の放送画像データに対応する放送番組識別情報を生成する放送情報生成部と、
前記番組案内用画面データ、前記時間情報、及び、前記放送番組識別情報を前記受信装置に送信する送信部と、
を備えることを特徴とする送信装置。
【請求項８】
送信装置と画像データ出力部を備える受信装置とからなる送受信システムによる送受信方法であって、
前記送信装置は、
複数の放送番組に対応した放送画像データを取得し、
前記取得された複数の放送画像データを少なくとも第１のグループと第２のグループに分類し、
前記第１のグループに含まれる複数の放送画像データを同一画面上に配列された複数の表示枠のそれぞれに表示する第１の番組案内用画面データ、及び、前記第２のグループに含まれる複数の放送画像データを同一画面上に配列された前記複数の表示枠と同一の表示枠のそれぞれに表示する第２の番組案内用画面データが、所定の時間間隔で切替わる番組案内用画面データを生成し、
前記所定の時間間隔に関する時間情報、並びに、前記第１及び第２の番組案内用画面データのそれぞれに含まれる複数の放送画像データに対応する放送番組識別情報を生成し、
前記番組案内用画面データ、前記時間情報、及び、前記放送番組識別情報を送信し、
前記受信装置は、
前記複数の放送番組に対応した放送画像データ、前記番組案内用画面データ、前記時間情報、及び、前記放送番組識別情報を受信し、
前記番組案内用画面データを出力し、
ユーザの操作によりいずれかの表示枠が選択された場合、選択された時刻に出力されている前記第１又は第２の番組案内用画面データに含まれ、且つ、選択された表示枠に対応する放送番組識別情報を検出し、
前記検出された放送番組識別情報に対応する前記放送画像データが前記画像データ出力部から出力されるように制御する、
こと含むことを特徴とする送受信方法。